(57)【要約】【課題】  ヒンジレス、ボルトレス及びバネ蝶番の機能を共有し、テンプルなどの部品の交換も可能な継手を提供する。【解決手段】  離接自在かつ屈曲自在に突き合わせて接合される第一の部材２及び第二の部材３と、この第一の部材２及び第二の部材３のそれぞれの端部の少なくとも一部に形成され、両部材２，３を突き合わせることで前記端部どうしが面接触し、第一の部材２と第二の部材３とを初期形態にする平坦面２ａ，３ａと、前記端部の一方に設けられた磁着部４及び他方に設けられ磁着部４と磁着する被磁着部５と、第一の部材２及び第二の部材３を連結し、磁着した状態での第一の部材２及び第二の部材３の可動領域を制限するとともに、磁着部４と被磁着部５との間に作用する磁着力と協働して、両部材２，３に前記初期形態へ復帰させる付勢力を作用させる付勢手段６とを有する。【選択図】  図３
2020013094.tif 000002
【特許請求の範囲】
【請求項１】
眼鏡又はバングル及びネックレスを含むアクセサリに用いられる屈曲自在な継手において、
離接自在かつ屈曲自在に突き合わせて接合される第一の部材及び第二の部材と、
この第一の部材及び第二の部材のそれぞれの端部の少なくとも一部に形成され、前記第一の部材と前記第二の部材を突き合わせることで前記端部どうしが二次元的又は三次元的に接触することで、前記第一の部材と前記第二の部材とを初期形態に維持する接触部と、
前記第一の部材及び前記第二の部材を連結し、前記第一の部材及び第二の部材の可動領域を制限する付勢手段と、
を有することを特徴とする眼鏡又はアクセサリの継手。
【請求項２】
前記第一の部材と前記第二の部材の組を軸線方向に複数設けたことを特徴とする請求項１に記載の眼鏡又はアクセサリの継手。
【請求項３】
眼鏡又はバングルやネックレスなどのアクセサリに用いられる屈曲自在な継手において、
離接自在かつ屈曲自在に突き合わせて接合される第一の部材及び第二の部材と、
この第一の部材及び第二の部材のそれぞれの端部の少なくとも一部に形成され、前記第一の部材と前記第二の部材を突き合わせることで前記端部どうしが二次元的又は三次元的に接触することで、前記第一の部材と前記第二の部材とを初期形態に維持する接触部と、
前記端部の一方に設けられた磁着部及び他方に設けられ前記磁着部と磁着する被磁着部と、
前記第一の部材及び第二の部材を連結し、前記磁着部と前記被磁着部とが磁着した状態での前記第一の部材及び第二の部材の可動領域を制限するとともに、前記磁着部と前記被磁着部との間に作用する磁着力と協働して、屈曲時に前記第一の部材及び第二の部材に前記初期形態へ復帰させる付勢力を作用させる付勢手段と、
を有することを特徴とする眼鏡又はアクセサリの継手。
【請求項４】
前記第一の部材と前記第二の部材の組を軸線方向に複数設け、前記第一の部材及び前記第二の部材の組のうちの少なくとも一組について、前記磁着部前記被磁着部とを設けたことを特徴とする請求項３に記載の眼鏡又はアクセサリの継手。
【請求項５】
少なくとも一方の前記接触部において、当該接触部に連続する側面の少なくとも一部に、前記第一の部材と前記第二の部材の屈曲をガイドする傾斜状又は湾曲状のガイド部を形成したことを特徴とする請求項１〜４のいずれかに記載の眼鏡又はアクセサリの継手。
【請求項６】
一方の前記接触部に凸部を形成し、他方の前記接触部に前記凸部と係合する凹部を形成したことを特徴とする請求項１〜５のいずれかに記載の眼鏡又はアクセサリの継手。
【請求項７】
前記接触部が、平面視して角形状、円形状又は楕円形状に形成されていることを特徴とする請求項１〜６のいずれかに記載の眼鏡又はアクセサリの継手。
【請求項８】
少なくとも一方の前記接触部における屈曲させようとする方向の径又は対角線の長さを大小調整することで、前記第一の部材と前記第二の部材とが屈曲を開始する際の付勢力を大小調整するようにしたことを特徴とする請求項１〜７のいずれかに記載の眼鏡又はアクセサリの継手。
【請求項９】
前記第一の部材及び前記第二の部材に貫通孔が形成され、この貫通孔に、伸縮方向及び曲げ方向の少なくとも一方に弾性変形する芯材を挿通させて設けたことを特徴とする請求項１〜８のいずれかに記載の眼鏡又はアクセサリの継手。
【請求項１０】
前記第一の部材及び第二の部材の外側に、前記第一の部材及び第二の部材の屈曲に応じて変形が可能なカバーを設けたことを特徴とする請求項１〜９のいずれかに記載の眼鏡又はアクセサリの継手。
【発明の詳細な説明】
【技術分野】
【０００１】
本発明は、眼鏡やバングル及びネックレス等を含むアクセサリに用いられる屈曲自在な継手に関し、バネやゴムなどの付勢手段や磁石などの磁着体を利用したボルトレス及びヒンジレスの継手に関する。
【背景技術】
【０００２】
例えば眼鏡においては、レンズを保持するフロント部と左右のテンプルとをヒンジで連結し、フロント部に対して左右のテンプルを折り畳み自在にしている。
このような眼鏡のヒンジにおいては、眼鏡装着者の頭部を左右から挟みつける方向に付勢して眼鏡のずり落ちを抑制したバネヒンジや、フロント部に対してテンプルを前記ヒンジにおいて着脱可能として、別のデザインのテンプルに交換できるようにしたもの、ヒンジを構成するボルトが緩みやすいことから、ボルトレス又はヒンジレスとしたものなど、種々の機能のものが提案又は市販されている。
【０００３】
特許文献１や特許文献２に記載のヒンジレス眼鏡フレームでは、左右のテンプルとフロント枠とをバネ材で連結し、このバネ材の弾性変形によりテンプルを閉じた状態から開いた状態まで拡開可能としている。なお、これら文献に記載の眼鏡フレームでは、前記バネ材はバネヒンジとしても機能する。
また近年では、ネオジウム磁石など強力な磁着力を有する磁石が安価に販売されており、このような磁石のバネヒンジやボルトレスヒンジ等への応用も拡がっている（特許文献３〜６参照）。
例えば特許文献３には、蝶番の固定側に設けた磁石と可動側に設けた磁石の反発力とを利用したバネ蝶番が開示されている。また、特許文献４や特許文献３には、ボルトの代わりに磁石を用いることでボルトレスとしたヒンジが開示されている。さらに特許文献４には、ヒンジの代わりに磁石によってフロント部とテンプルとを連結したヒンジレス眼鏡が開示されている。
【先行技術文献】
【特許文献】
【０００４】
【特許文献１】特開２００２−３５０７８４号公報
【特許文献２】特開２００１−２５５４９７号公報
【特許文献３】特開平１１−１１９１６６号公報
【特許文献４】特開２０１６−４２６３号公報
【特許文献５】国際公開２００９／１１３１８７号公報
【発明の開示】
【発明が解決しようとする課題】
【０００５】
しかしながら、特許文献１に記載のヒンジレス眼鏡では、バネ材の弾性限界を越える屈曲力が前記バネ材に作用すると、前記バネ部やテンプルが塑性変形又は破損するおそれがある。また、折り畳み状態では板状のバネ材に大きなストレスが作用して、長期使用のうちにバネ材の弾性が劣化し、テンプルを開いたときに所定の初期形態に戻らなくなったり、バネヒンジとしての弾性力が弱くなるという問題がある。
【０００６】
また、特許文献２に記載のバネヒンジは、磁石の反発力のみで眼鏡装着者の頭部を左右から挟持させるものであるため、挟持させるための十分な弾性力を得ることが難しいという問題がある。さらに特許文献３に記載ボルトレスヒンジは、磁石の磁着力によりフロント部とテンプルとを連結しているが、磁石による磁着力だけでは連結力が弱いために、図４に示すような保持部材２２が別に必要となるという問題がある。特許文献４に記載のボルトレスヒンジは、特許文献４のヒンジのような問題は発生しないが、構成が複雑で加工コスト等が高くなるという問題がある。
さらに特許文献５のヒンジレス眼鏡は、磁石の磁着力のみでロント部とテンプルとを連結しているため、テンプルが外れやすいという問題がある。
【０００７】
本発明は、上記した従来のヒンジが有する問題点を一挙に解決するとともに、ヒンジレス、ボルトレス及びバネヒンジの各機能を共有し、テンプルなどの部品の交換も可能で、眼鏡に限らずバングルやネックレスなどのアクセサリにも適用が可能な継手の提供を目的とする。
【課題を解決するための手段】
【０００８】
上記課題を解決するために請求項１に記載の眼鏡又はアクセサリの継手は、眼鏡又はバングル及びネックレスを含むアクセサリに用いられる屈曲自在な継手において、離接自在かつ屈曲自在に突き合わせて接合される第一の部材及び第二の部材と、この第一の部材及び第二の部材のそれぞれの端部の少なくとも一部に形成され、前記第一の部材と前記第二の部材を突き合わせることで前記端部どうしが二次元的又は三次元的に接触することで、前記第一の部材と前記第二の部材とを初期姿勢に維持する接触部と、前記第一の部材及び前記第二の部材を連結し、前記第一の部材及び第二の部材の可動領域を制限する付勢手段とを有する構成としてある。この付勢手段は、可動領域を制限するだけでなく、前記第一の部材及び前記第二の部材の前記接触部どうしを二次元的又は三次元的に接触させる方向に付勢するものであってもよい。
【０００９】
本発明において「二次元的又は三次元的に接触」するとは、第一の部材と第二の部材とが付勢手段によって付勢されつつ接触部で接触することによって初期形態を維持できるものを全て含む趣旨であり、例えば図９（ａ）に示すように、第一の部材２と第二の部材３の端部に平坦面２ａ，３ａが形成されていて、平坦面２ａ，３ａどうしが接触する場合、図９（ｂ）に示すように、前記端部が縁状部２ａ′，３ａ′として形成されていて、縁状部２ａ′，３ａ′どうしが接触する場合、図９（ｃ）に示すように、前記端部が凹凸状部２ａ″，３ａ″として形成されていて、凹凸状部２ａ″，３ａ″どうしが接触する場合などが含まれる。
【００１０】
上記構成によれば、接触部で互いに接触する第一の部材と第二の部材とは、バネやゴムなどの付勢手段によって連結されていて、かつ、前記付勢手段の付勢力により、外力を作用させない状態では、前記接触部どうしが互いに押し付けられることで初期形態に維持されている。なお、この「初期形態」には、直線状のほか、一定角度に屈曲した屈曲状のものも含まれる。前記第一の部材及び前記第二の部材に、横方向から負荷を作用させると、前記第一の部材及び前記第二の部材はその端部で折れ曲がる。そして前記負荷を解除すれば、前記第一の部材及び前記第二の部材は、前記付勢力により初期形態に復帰する。
請求項２に記載するように、前記第一の部材と前記第二の部材の組を軸線方向に複数設けてもよい。このように構成することで、屈曲部分を複数有する継手を得ることができ、全体として湾曲状に変形する継手を得ることができる。
【００１１】
本発明の別の実施形態は、請求項３に記載するように、眼鏡又はバングルやネックレスなどのアクセサリに用いられる屈曲自在な継手において、離接自在かつ屈曲自在に突き合わせて接合される第一の部材及び第二の部材と、この第一の部材及び第二の部材のそれぞれの端部の少なくとも一部に形成され、前記第一の部材と前記第二の部材を突き合わせることで前記端部どうしが二次元的又は三次元的に接触することで、前記第一の部材と前記第二の部材とを初期形態に維持する接触部と、前記端部の一方に設けられた磁着部及び他方に設けられ前記磁着部と磁着する被磁着部と、前記第一の部材及び第二の部材を連結し、前記磁着部と前記被磁着部とが磁着した状態での前記第一の部材及び第二の部材の可動領域を制限するとともに、前記磁着部と前記被磁着部との間に作用する磁着力と協働して、屈曲時に前記第一の部材及び第二の部材に前記初期形態へ復帰させる付勢力を作用させる付勢手段とを有する構成としてある。
【００１２】
前記磁着部としては磁石を用いることができ、前記被磁着部としては前記磁着部と磁着できる金属や磁石を用いることができる。前記第一の部材及び第二の部材の一部に前記磁着部や前記被磁着部を設けてもよいし、前記第一の部材及び第二の部材の全体を磁着体又は被磁着体として形成してもよい。
【００１３】
この請求項３に記載の発明において前記付勢手段による「連結」には、第一の部材と第二の部材とが接触して連結される場合のほか、離間して連結される場合も含む広義のものである。請求項３に記載の発明においては、引っ張りコイルバネのように第一の部材と第二の部材とを接近させる方向に付勢力を作用させる付勢手段のほか、圧縮コイルバネのように両者を離間させる方向に付勢力を作用させる付勢手段（この場合、磁着手段による磁着力より十分に弱いものを用いることが好ましい）を用いることができる。
【００１４】
この構成によれば、前記第一の部材及び第二の部材とは付勢手段によって連結されていて、かつ、磁石等の磁着力によっても連結されているので、前記第一の部材と前記第二の部材とが容易に分離するということが無い。その一方で、磁石や付勢手段による連結を解除すれば、第一の部材と第二の部材とを切り離してテンプル等の部品の交換が容易になる。また、前記第一の部材及び前記第二の部材とは、横方向から負荷を加えることで屈曲させることが可能で、前記負荷を解除すれば、前記第一の部材及び前記第二の部材は、前記磁着力及び前記付勢力により初期形態に復帰する。
請求項４に記載するように、この実施形態においても前記第一の部材と前記第二の部材の組を軸線方向に複数設けてもよい。この場合、前記第一の部材及び第二の部材の組のうちの一部の組について前記磁着部と被磁着部とを設けるようにしてもよい。
【００１５】
本発明においては、前記第一の部材及び前記第二の部材は前記付勢手段の作用又は前記付勢手段及び磁着部の作用により、常に初期形態に復帰しようとする方向に付勢されているため、例えば眼鏡のヒンジの代わりとして用いればバネ蝶番として機能を発揮する。また、ボルトを用いていないので、ボルトレスヒンジとしても機能する。
【００１６】
請求項５に記載するように、少少なくとも一方の前記接触部において、当該接触部に連続する側面の少なくとも一部に、前記第一の部材と前記第二の部材の屈曲をガイドする傾斜状又は湾曲状のガイド部を形成してもよい。このようにすることで、前記第一の部材と前記第二の部材は、前記ガイド部に沿って屈曲する。
請求項６に記載するように、一方の前記平坦面に凸部を形成し、他方の前記平坦面に前記凸部と係合する凹部を形成してもよい。このようにすれば、初期形態復帰時に凸部と凹部が係合することで、初期形態時の第一の部材と第二の部材の接合関係を常に一定に保つことができるほか、初期形態時に横方向に負荷が作用しても、第一の部材と第二の部材の位置ずれを防止できる。
【００１７】
請求項７に記載するように、前記接触部は、平面視して角形状、円形状又は楕円形状に形成されていてもよい。前記接触部を円形状とすれば、前記第一の部材と前記第二の部材とはあらゆる方向の屈曲が可能であるが、楕円状や角形状に形成することで、屈曲しやすい方向を制御することができる。
【００１８】
また、請求項８に記載するように、少なくとも一方の前記接触部における屈曲させようとする方向の径又は対角線の長さ大小調整することで、前記第一の部材と前記第二の部材とが屈曲を開始する際の付勢力を大小調整することができる。すなわち、接触部における接触面積を小さくすれは、小さな負荷で第一の部材と第二の部材とを屈曲させることができるが、大きくすればするほど、前記負荷を大きく（屈曲させにくく）することができる。
【００１９】
請求項９に記載するように、前記第一の部材及び前記第二の部材を中空リング状に形成し、前記第一の部材及び前記第二の部材の貫通孔に、伸縮方向及び曲げ方向の少なくとも一方に弾性変形する芯材を挿通させもよい。伸縮方向に弾性変形する芯材を用いることで、第一の部材と第二の部材とを突き合わせる方向に付勢して磁着力を補強することができ、曲げ方向に弾性変形する芯材を用いることで、初期形態へ復帰しようとする付勢力を補強することができる。
【００２０】
請求項１０に記載するように、前記第一の部材及び第二の部材の外側に、前記第一の部材及び第二の部材の屈曲に合わせて変形が可能なカバーを設けてもよい。このようなカバーは、継手部分を隠したり模様を付したりすることで、眼鏡やアクセサリのデザイン性を高めることができるほか、前記第一の部材、第二の部材及び前記付勢手段の全体を被覆することでこれらが一体となったユニットを構成することができる。前記カバーとしては、加熱することで収縮する熱収縮フィルムやシリコン等のゴムなどを挙げることができる。
【発明を実施するための最良の形態】
【００２１】
以下、本発明の好適な実施形態を、図面を参照しつつ詳細に説明する。なお、以下の説明では、本発明の継手を眼鏡のヒンジ部分に適用したものとして説明する。
図１は、本発明の継手を適用した眼鏡の一実施形態を示す斜視図である。
眼鏡１０は、左右のレンズ１１，１１を保持する左右のリム１２，１２と、この左右のリム１２，１２を連結するブリッジ１３と、リム１２，１２のそれぞれに取り付けられた鼻パッド１４．１４とを有するフロント部Ｆと、このフロント部Ｆの左右にヨロイ１５，１５を介して取り付けられた左右のテンプルＴ，Ｔとを有している。そして、ヨロイ１５，１５とテンプルＴ，Ｔとが継手１，１によって、フロント部Ｆに対して屈曲自在に取り付けられている。
【００２２】
図２（ａ）は、本発明の継手１の第一の実施形態にかかり、その構成を説明する一部を破断した側面図である。
図２（ａ）の実施形態では、ヨロイ１５とテンプルＴの端部に形成された嵌合孔１５ａ，Ｔａに初期形態が軸線Ｃに沿った直線状の引張コイルバネ６（以下、バネ６と記載する）の端部が嵌め込まれる。
【００２３】
棒状の第一の部材２と第二の部材３とは、対向する端面を突き合わせた状態でバネ６の貫通孔内に挿入される。この突き合わせ状態は、バネ６の付勢力により維持される。第一の部材２及び第二の部材３の対向する前記端面には、それぞれ接触部としての平坦面２ａ，３ａが形成されていて、第一の部材２と第二の部材３とはこの平坦面２ａ，３ａにて面接触状態で突き合わされる。このとき、平坦面２ａ，３ａに対して鉛直方向に交叉する継手１の軸線Ｃ上に第一の部材２と第二の部材３とが位置しており、この状態（図３（ａ）に示す状態）がこの実施形態での「初期形態」となる。
【００２４】
バネ６は、テンプルＴを取り付けた状態で、前記初期形態を維持でき、かつ、屈曲させたときに第一の部材２及び第二の部材３の可動領域を制限できる弾性力を有するものを選択する。また、バネ６は第一の部材２及び第二の部材３を初期形態に復帰させる方向に常に付勢する。
ヨロイ１５及びテンプルＴと上記構成の継手１との連結は、例えば、嵌合孔１５ａ，Ｔａの内径をバネ６の端部の外径と同程度か僅かに小さく形成し、バネ６の端部を嵌合孔１５ａ，Ｔａに嵌め込んで取り付けるようにしてもよいし、嵌合孔１５ａ，Ｔａの内周面にバネ６の螺条と係合する螺条を数条凸設し、バネ６の端部を嵌合孔１５ａ，Ｔａに螺入するようにしてもよい。
また、接着剤によってヨロイ１５及びテンプルＴと継手１とを接着するようにしてもよいし、磁石によってヨロイ１５及びテンプルＴと継手１とを磁着するようにしてもよい。
【００２５】
図２（ｂ）は、本発明の継手１の第二の実施形態にかかり、その構成を説明する一部を破断した側面図である。
この実施形態の継手１の基本構成は、第一の実施形態の継手１とほぼ同じであるが、この実施形態の継手１では平坦面２ａ，３ａの鉛直軸線が軸線Ｃに対して角度αだけ傾いている。そのため、この実施形態の継手１の初期形態は図２（ｂ）に示すように角度αだけ屈曲した形状となる。このように、本発明の継手１では、接触部である平坦面２ａ，３ａの角度αを調整することで、初期形態を自在に設定することが可能である。
【００２６】
図２（ｃ）は、本発明の継手１の第三の実施形態にかかり、その構成を説明する一部を破断した側面図である。
この実施形態の継手１は、それぞれ複数の第一の部材２と第二の部材３を交互に軸線Ｃ方向に配置したものである。この実施形態では第一の部材２及び第二の部材３はそろばん玉状に形成されていて、両端面が平坦面２ａ，３ａとして形成されている。第一の部材２及び第二の部材３の平坦面２ａ，３ａの両側は、テーパ面２ｂ，３ｂとして形成されていて、組となる第一の部材２及び第二の部材３のそれぞれをテーパ面２ｂ，３ｂのテーパ角に応じた屈曲角度で屈曲させることが可能になる。
【００２７】
図２（ｄ）は継手１の第四の実施形態を示す一部破断の側面図で、第三の実施形態の継手１の変形例である。この実施形態において第一の部材２及び第二の部材３には貫通孔７が形成されていて、この貫通孔７内に芯材８が挿入されている。付勢手段としての芯材８は、曲げ方向に弾性を有するとともに縮退方向に弾性を有するものを用いることができる。芯材８としては、バネ性を有する金属材や樹脂材を用いることができ、その形態はコイルバネ状のもの、棒状のもの、編み線状のもの又は撚り線状のものであってもよい。この実施形態においても、第一〜第三の実施形態と同様に、芯材８とは別のコイルバネ６を第一の部材２及び第二の部材３の外側に設けてもよい。
【００２８】
図３（ａ）は、継手１の第五の実施形態にかかり、その構成を説明する一部を破断した側面図である。
図３（ａ）の実施形態では、ヨロイ１５とテンプルＴの端部に形成された嵌合孔１５ａ，Ｔａに初期形態が軸線Ｃに沿った直線状のコイルバネ６（以下、バネ６と記載する）の端部が嵌め込まれる。
【００２９】
棒状の第一の部材２と第二の部材３とは、対向する端面を突き合わせた状態でバネ６の貫通孔内に挿入される。第一の部材２及び第二の部材３の対向する前記端面には、それぞれ平坦面２ａ，３ａが形成されていて、第一の部材２と第二の部材３とはこの平坦面２ａ，３ａにて面接触状態で突き合わされる。このとき、平坦面２ａ，３ａを鉛直方向に交叉する継手１の軸線Ｃ上に第一の部材２と第二の部材３とが位置しており、この状態（図３（ａ）に示す状態）がこの実施形態での「初期形態」となる。
バネ６は、テンプルＴを取り付けた状態で、下記に説明する磁石４，５の磁着力と協働して前記初期形態を維持できるバネ性を有するものを選択する。また、バネ６は圧縮コイルバネ又は引張コイルバネのいずれでもよい。
【００３０】
ヨロイ１５及びテンプルＴと上記構成の継手１との連結は、例えば、嵌合孔１５ａ，Ｔａの内径をバネ６の端部の外径と同程度か僅かに小さく形成し、バネ６の端部を嵌合孔１５ａ，Ｔａに嵌め込んで取り付けるようにしてもよいし、嵌合孔１５ａ，Ｔａの内周面にバネ６の螺条と係合する螺条を数条凸設し、バネ６の端部を嵌合孔１５ａ，Ｔａに螺入するようにしてもよい。なお、この場合、ステンレス等の被磁着性の金属で形成されたバネ６を利用することで、磁石４，５の磁着力により、バネ６の緩みが規制される。
また、接着剤によってヨロイ１５及びテンプルＴと継手１とを接着するようにしてもよいし、磁石によってヨロイ１５及びテンプルＴと継手１とを磁着するようにしてもよい。
【００３１】
この実施形態において第一の部材２の平坦面２ａと第二の部材３の平坦面３ａとは、ともに第一の部材２及び第二の部材３の端部を平滑に仕上げたものであり、前記端部が面接触状態で突き合わせられる平坦面２ａ，３ａとして機能する。そして、平坦面２ａ，３ａの中央に磁着体及び被磁着体である磁石４，５が埋設される。磁石４，５としては磁着力の強いネオジウム磁石を用いるのが好ましい。磁石４，５の端面は平坦面２ａ，３ａと面一としてもよいし、いずれか一方の磁石（例えば平坦面２ａ側の磁石４）の端面を平坦面２ａより低くし、他方の磁石（同磁石５）の端面を平坦面３ａより高くして、凸状の磁石５が凹状の磁石４に嵌入しつつ平坦面２ａ，３ａが面接触するようにしてもよい。このように、平坦面２ａ，３ａに互いに係合する凸部と凹部を設けることで、初期形態において第一の部材２と第二の部材３を軸線Ｃ上に正確に位置させることができるうえ、横方向（軸線Ｃと交叉する方向）から第一の部材２又は第二の部材３に負荷が作用しても、第一の部材２と第二の部材３の横方向の位置関係がずれにくいという利点がある。
【００３２】
図３（ａ）に示すように、バネ６の外側にはカバー９を設けてもよい。カバー９は、継手１を隠したり、表面に模様を施したりすることで、眼鏡１０のデザイン性を高めることができる。カバー９としては、加熱することで収縮する熱収縮フィルムやシリコン等のゴムなどを挙げることができる。
【００３３】
図３（ｂ）は継手１の第六の実施形態を示す一部破断の側面図である。
以下では、図３（ａ）の実施形態の継手と異なる点のみを説明する。
この実施形態では、第一の部材２の端部に形成された平坦面２ａの中央に凹部２ｃが形成され、この凹部２ｃにリング状の磁石４が嵌め込まれる。また、第二の部材３の全体又は端部は磁石４と磁着できるステンレスなどの金属で形成されている。すなわち、この実施形態では、磁着性のある金属で形成された第二の部材３の端部が「被磁着部」を構成する。
【００３４】
第二の部材３の端部は先端に向かうほど縮径するテーパ状に形成され、その先端に平坦面３ａが形成されている。凹部２ｃの開口部分の径は平坦面３ａと同程度とし、平坦面３ａが磁石４に磁着するようになっている。平坦面３ａの中央には凸部３ｃが突出形成され、リング状の磁石４の貫通孔（凹部）に抜脱自在に係合するようになっている。凸部３ｃと貫通孔との作用は、図３（ａ）の実施形態において説明した凹部及び凸部と同じである。
【００３５】
この実施形態では、第二の部材３の端部をテーパ状に形成することで、第一の部材２と第二の部材３とを屈曲させやすくなる。屈曲のさせやすさは、平坦面３ａの大きさ（屈曲させようとする方向の径や対角線の長さ）と密接に関係し、屈曲させようとする方向の径や対角線の長さを大きくすれば、当該方向へは屈曲させにくくなり、逆に小さくすれば屈曲させやすくなる。
【００３６】
このことはすなわち、径や対角線の長さを方向によって異ならせることで、一つの継手１において屈曲させやすい方向と屈曲させにくい方向とを混在させることができることを意味する。例えば図６（ａ）〜（ｄ）に示すように、平坦面２ａ及び平坦面３ａのいずれか一方の形状は円形、楕円形、四角形、多角形等とすることで、継手１に横方向に負荷が作用したときに、その屈曲方向を特定の方向に規制することができる。
【００３７】
図３（ｃ）は継手１の第七の実施形態を示す一部破断の側面図である。
この実施形態の継手１は、それぞれ複数の第一の部材２と第二の部材３を交互に軸線Ｃ方向に配置したものである。この実施形態では第一の部材２及び第二の部材３はそろばん玉状に形成されていて、両端面が平坦面２ａ，３ａとして形成されている。また、この実施形態では第一の部材２及び第二の部材３は磁石で形成されている。第一の部材２及び第二の部材３の平坦面２ａ，３ａの両側は、図３（ｂ）に示した第六の実施形態の継手１の第二の部材３のテーパ面３ｂと同様のテーパ面として形成されていて、組となる第一の部材２及び第二の部材３のそれぞれがテーパ角に応じた屈曲角度で屈曲することで、継手１の全体の屈曲角度を大きくすることができる。
【００３８】
図３（ｃ）の第七の実施形態では、第一の部材２及び第二の部材３の組の全てが磁石（磁着部及び被磁着部）で形成されているものとしたが、この第七の実施形態の変形例として、第一の部材２及び第二の部材３の組の一部についてのみ磁着部及び被磁着部を有するようにしてもよい。例えば、図２（ｃ）に示した第三の実施形態の継手１において、第一の部材２及び第二の部材３の組のうちの一部のみを磁石で形成するようにしてもよい。
【００３９】
図３（ｄ）は継手１の第八の実施形態を示す一部破断の側面図で、第七の実施形態の継手１の変形例である。この実施形態において第一の部材２及び第二の部材３には貫通孔７が形成されていて、この貫通孔７内に芯材８が挿入されている。芯材８は、曲げ方向に弾性を有するものや伸縮方向に弾性を有するものを用いることができる。伸縮方向に弾性変形する芯材を用いることで、第一の部材２と第二の部材３とを突き合わせる方向に付勢して、磁石による磁着力を補強することができる。また、曲げ方向に弾性変形する芯材を用いることで、初期形態へ復帰しようとするバネ６による付勢力を補強することができる。芯材８としてはバネ性を有する金属材や樹脂材を用いることができ、その形態はコイルバネ状のもの、棒状のもの、編み線状のもの又は撚り線状のものであってもよい。
【００４０】
図４は、図３（ｂ）に示した第六の実施形態の継手１の作用を説明する図で、（ｂ）は初期形態における第一の部材と第二の部材の状態を示す部分拡大図、（ｃ）及び（ｄ）は屈曲の過程における第一の部材と第二の部材の状態を示す部分拡大図である。
初期形態のテンプルＴに横方向（軸線Ｃと交叉する方向）に負荷を作用させると、第二の部材３は、図４（ａ）の（ｉ）で示す初期形態の状態（第一の部材２と第二の部材３とは図４（ｂ）に示す状態）から第一の部材２に対して傾き（図４（ｃ）参照）、図４（ａ）(ii)に示すように継手１が屈曲した状態となる。この状態では、バネ６及び磁石４の磁着力により、第二の部材３及びテンプルＴには負荷方向と逆方向に付勢力が作用する。これは、バネ蝶番において眼鏡装着者の頭部に作用する付勢力と同じであるが、本発明の継手１においてはバネ６の付勢力と磁着力との協働によって、従来のバネ蝶番よりも大きな付勢力を作用させることが可能になる。
さらに負荷を加えると、テーパ面３ｂが平坦面２ａに当接し、当該屈曲角度で継手１が保持される（図４（ａ）(iii)参照）。例えばテンプルＴを折り畳む際には、テーパ面３ｂが平坦面２ａに当接するまで第二の部材３を第一の部材２に対して屈曲させればよい。
【００４１】
図５は、図２（ｃ）、図３（ｃ）又は図３（ｄ）に示した第三、第六又は第八の実施形態の継手１の作用を示す図である。図２（ｃ）、図３（ｃ）又は図３（ｄ）の継手１は、短尺の複数の第一の部材２及び第二の部材３から構成されているため、テンプルＴに横方向に負荷を作用させると、複数の第一の部材２及び第二の部材３の突き合わせ部分で屈曲が生じ、継手１が図５（ｉ）の初期形態から図５（ii）及び図５(iii)の姿勢へと湾曲状に折れ曲がる。
【００４２】
また、特に図示はしないが、本発明の継手１においては、テンプルＴの嵌合孔Ｔａとバネ６との嵌合を解除することで、テンプルＴを継手１から取り外すことができ、これによって他のデザインや機能、形態のテンプルＴに交換することが可能になる。
【００４３】
本発明の継手１は、第一の部材２，第二の部材３及びバネ６を一つにまとめてユニット化することができる。例えば、図７（ａ）に示すように熱収縮フィルム等で形成されたカバーで第一の部材２，第二の部材３及びバネ６を包むようにしてもよいし、図７（ｂ）に示すようにバネ６の両端６ａ，６ａを少しだけ縮径させるようにしてもよい。このように予めユニット化された継手１は、その一端をヨロイ１５に取り付け、他端をテンプルＴに取り付けるだけでよいので、眼鏡組立工程を簡素化することができる。
【００４４】
本発明の好適な実施形態について説明したが、本発明は上記の説明に限定されない。
例えば、上記で説明した第一の実施形態〜第八の実施形態の各構成は適宜に組み合わせることが可能である。また、上記の説明では、第二の部材３にテーパ面３ｂを形成しているが、第二の部材２にテーパ面２ｂを形成してもよく、テーパ面に変えて湾曲面としてもよい。
さらに付勢手段はバネ６としているが、弾性を有するものであればゴムなどの他の弾性体を用いてもよい。
また、上記の説明では眼鏡のヒンジに適用した場合を例に挙げて説明したが、本発明の継手１はヒンジに限らず他の部位、例えばテンプルＴとモダンＭの間などにも用いることができる。
また、眼鏡に限らずバングルやネックレスなどのアクセサリにも適用が可能である。図９は、バングル２０に本発明の継手１を適用した例を示す図であるが、図示の例でのバングル２０では、本体２１の開放部分に、継手１によって開閉部２２を開閉自在に設けられている。このようにすることで、装着者の腕にバングル２０を装着しやすくすることができる。ハングル２０の本体部分にも一つ又は複数の継手１を用いることができる。
【図面の簡単な説明】
【００４５】
【図１】本発明の継手を適用した眼鏡の一実施形態を示す斜視図である。
【図２】図２（ａ）は、継手１の第一の実施形態にかかり、その構成を説明する一部を破断した側面図、図２（ｂ）は継手１の第二の実施形態を示す一部破断の側面図、図２（ｃ）は継手１の第三の実施形態を示す一部破断の側面図、図２（ｄ）は継手１の第四の実施形態を示す一部破断の側面図である。
【図３】図３（ａ）は、継手１の第五の実施形態にかかり、その構成を説明する一部を破断した側面図、図３（ｂ）は継手１の第六の実施形態を示す一部破断の側面図、図３（ｃ）は継手１の第七の実施形態を示す一部破断の側面図、図３（ｄ）は継手１の第八の実施形態を示す一部破断の側面図で、第七の実施形態の継手１の変形例である。
【図４】図３（ｂ）に示した第六の実施形態の継手１の作用を説明する図である。
【図５】図３（ｃ）又は図３（ｄ）に示した第六又は第八の実施形態の継手１の作用を示す図である。
【図６】平坦部の形状の一例を示す図である。
【図７】第一の部材、第二の部材及びバネをユニット化した一例を示す図である。
【図８】本発明の継手をバングルに適用した例を示す図である。
【図９】本発明の継手における接触部の形態を説明する部分斜視図である。
【符号の説明】
【００４６】
１      継手
２      第一の部材
２ａ    平坦面
２ｂ    テーパ面
２ｃ    凹部
３      第二の部材
３ａ    平坦面（接触部）
３ｂ    テーパ面
３ｃ    凸部
４，５  磁石（磁着体、被磁着体）
６      バネ（付勢手段）
７      貫通孔
８      芯材
９      カバー
１５    ヨロイ
１５ａ    嵌合孔
２０      バングル
２１      本体
２２      開閉部
Ｔ      テンプル
Ｔａ    嵌合孔
Ｍ      モダン
【図１】
2020013094.tif 000003
【図２】
2020013094.tif 000004
【図３】
2020013094.tif 000005
【図４】
2020013094.tif 000006
【図５】
2020013094.tif 000007
【図６】
2020013094.tif 000008
【図７】
2020013094.tif 000009
【図８】
2020013094.tif 000010
【図９】
2020013094.tif 000011